(57)【特許請求の範囲】
【請求項１】
所定時間内に繰り返される行動または活動を捉えるように構成された、所定の行動または活動を取得するための第１手段（１１，２１）と、
新しいと解釈される行動パターンを記憶するために、行動パターンおよび活動パターンを記憶するための第２手段（１２，２２）と、
処理および制御のための第３論理手段（１３，２３）と、
を少なくとも備え、
上記第３論理手段（１３，２３）において、上記第１手段および上記第２手段の結果が比較され、
（ｉ）現在のパターンの比較が過去のパターンと一致する場合、ユーザに対し第１アラート出力が確定して出力され、その第１アラートの出力は、この現在のパターンが認識されたことをユーザに知らせるよう設定される、および、
（ｉｉ）作動させるための第４手段（１４，２４）に向けての第２出力が生成され、認識された上記行動または上記活動が自律モードで再生される、
ことに応じて構成される出力を確定する、コンダクトルーチンの管理および制御のための装置であって、
さらに、記憶されたルーチンが別の装置の記憶されたルーチンと同様である場合に、複数の装置間で、上記記憶されたルーチンを共有するよう構成されたワイヤレスデータ伝送手段を備えることを特徴とする装置。
【請求項２】
請求項１に記載の装置を備えたことを特徴とする携帯電話。
【請求項３】
請求項１に記載の装置を備えたことを特徴とするＧＰＳ型携帯用ナビゲーション装置。
【請求項４】
請求項１に記載の装置を備えたことを特徴とする家庭電化製品。
【請求項５】
請求項１に記載の装置に実装されるコンダクトルーチンの管理および制御のための装置のための方法であって、
所定時間内に繰り返される行動または活動を捉える第１のステップと、
新しいと解釈される行動パターンを記憶するために、行動パターンおよび活動パターンを記憶する第２のステップと、
上記第１手段および上記第２手段の結果が比較されて、
（ｉ）現在のパターンの比較が過去のパターンと一致する場合、ユーザに対し第１アラート出力が確定して出力され、その第１アラートの出力は、この現在のパターンが認識されたことをユーザに知らせるよう設定される、および、
（ｉｉ）作動させるための第４手段に向けての第２出力が生成され、認識された上記行動または上記活動が自律モードで再生される、
ことに応じて構成される出力を確定する第３のステップと、
記憶されたルーチンが別のユーザの記憶されたルーチンと同様である場合に複数の請求項１に記載の装置間で、上記記憶されたルーチンを共有するステップと、
を備えていることを特徴とする方法。
【発明の詳細な説明】
【技術分野】
【０００１】
本発明の目的は、ユーザのコンダクトルーチンの管理および制御のための装置と、上記管理および制御を実行するための方法であり、ユーザ側の繰り返されるコンダクトあるいは活動に直面したとき、上記装置は、上記コンダクトを学習することができると共に、必要な初期状態が現れたときに、そのコンダクトを再生することができ、装置自身が上記コンダクトおよび／または活動を管理する。
【０００２】
本発明は、人工知能および自己学習システムの分野に含まれる。
【背景技術】
【０００３】
現在、一方ではコンダクトを認識するための、他方ではコンダクトを予め確定して出力された行動パターンと比較し、特定の活動を管理するための幾つかの異なる装置が存在する。前述の装置の例は、ＷＯ２００４００３８４８と、ＥＰ１０７１０５５である。前者は、行動をモデル化するための方法および装置が記載されており、人間および／または動物の行動をモデル化するための可能性分配機能を用いているが、この行動および／または活動に基づいて行動するための作動手段を作り出すことがない。他方、２番目に言及された文献は、過去の行動に対して現在の行動を解析し、パターン毎の簡単な比較という解決法を提供するが、その後の寄与を確定して出力していない。
【０００４】
ＵＳ２００１０１８６６３は、タスクを計画するための方法を示していて、携帯装置が、地理的位置で情報を受け取り、そして、この位置に基づいて、受け取られた位置と関係があるタスクを識別し、ユーザに知らせる目的で、記述的タスクデータベースにインデックスを付ける。このデータベースは、実際の携帯装置に設置することができる。あるいは、広く知られた技術を用いている様々な通信インターフェースを介してアクセス可能である外部のどんな場所にでも、設置することができる。タスクに関する記述と共に、データベースは、タスクが実行されるべき場所の地理的座標の情報を記憶する。ユーザは、タスクが実行される場所の近くで彼らの位置を通報され、マップ上の対応する目標に向かうルートを示され得る。さらに、このデータベースは、アプリケーションプログラムに関連付けすることができ、ユーザの習慣について知り、行動パターンを確定して出力することを可能にする。
【０００５】
ＵＳ２００３２２４７６２は、位置、または、他のイベント、または、ユーザあるいは別のユーザにより計画されたタスクに基づいてアラートを作動させる携帯装置を記載している。ユーザは、多くの方法で必要な位置情報を入力することができる。したがって、選択した位置をユーザが入力していることを装置が検出するとき、対応するアラートが生成される。起動アラートイベントが第２装置において関連付けられている場合、この第２装置が対応するタスクを完了したとき、第２装置は第１装置に知らせ、第１装置がアラートを作り出すことができるようにする。
【０００６】
ＵＳ２００６０６１４８８は、位置情報に基づいたタスクリマインダーを提供するためのシステムを示す。このシステムは、処理するためのキャパシティと、外部での通信手段とを有する複数の装置（ノード）を備えることができ、通信手段は、例えば、ワイヤレス接続の電子手帳（ＰＤＡｓ）等、様々な種類のものがあり得る。上記複数の装置は、タスク管理のためのモジュールを備えることができ、装置のユーザにより実行されるべきイベントまたはアクションを表わしているタスクリストを管理する。このタスクを特定の位置と関連付けることができ、装置が参照位置の既定の近接範囲内にあるとき、アラートを生成することができる。本発明の具現化の一形態において、ローカライゼーションは、両方の装置が共に近づいたとき、アラームが有効とされるような、分離距離を知るために両方の装置がそれらの位置情報を交換する等価装置である可能性がある。
【０００７】
上述の文献はいずれも、ユーザのコンダクトルーチン後の装置の反復管理およびアクションに存する目的の技術的問題を解決していない。言い換えれば、上述の文献はいずれも、反復的なイベント後に、そして、アクションの前歴に基づいて、自動的な方法でコンダクトの反復をできるようにしておらず、所定のアラームを発することをむしろ制限している。
【発明の概要】
【０００８】
上述のドキュメントの問題を緩和するため、コンダクトルーチンを管理および制御するための装置は、（ａ）所定時間内に繰り返される行動または活動を捉えるように構成された所定の行動および／または活動を取得するための手段と、（ｂ）新しいと解釈される行動パターンを記憶するよう構成された行動パターンおよび活動パターンを記憶するための第２手段と、を少なくとも備え、上記装置は、（ｃ）上記第１手段および上記第２手段の結果が比較されて、（ｉ）現在のパターンの比較が過去のパターンと一致する場合、第１アラート出力がユーザに対し確定して出力され、その第１アラート出力は、現在のパターンが認識されたことを知らせるよう設定される、および、（ｉｉ）作動させるための第４手段に向けての第２出力が生成され、認識された行動または活動が自発的に再生される、ことに応じて構成される出力を確定する処理および制御のための第３論理手段により特徴付けられる。
【０００９】
本発明の目的は、上述のシステムのおかげで達成される。その目的とは、装置がコンダクトを学習して、その後、必要な状態が現れたときに、そのコンダクトを再生できるようにし、この装置自身が上記コンダクトおよび／または活動を管理することである。
【００１０】
この明細書および特許請求の範囲を通して、「備える（comprises）」という言葉およびその変形は、他の技術的特徴、添加物、要素またはステップを除外しない。このテーマにおける専門家にとって、本発明の他の目的、利点および特徴は、一部は明細書の説明から、そして、一部は本発明の実施から、必然的に発展する。後述の実施形態および図は、一例として提供され、本発明を限定しない。さらに、本発明は、本明細書で特定される特定の、そして、好ましい実施形態の全ての可能な組み合わせをカバーする。
【図面の簡単な説明】
【００１１】
【図１】図１は、ビデオおよびＴＶ記録装置のコンダクトルーチンの制御の応用における本発明の目的である装置の概略図を示す。
【図２】図２は、ＧＰＳナビゲータールートの自動生成の応用における本発明の目的である装置の概略図を示す。
【発明を実施するための形態】
【００１２】
コンダクトルーチンを管理および制御するための上記装置は、その考えられる具現化の範囲のすべてにおいて、（ａ）所定時間内に繰り返される行動または活動を捉えるように構成された所定の行動および／または活動を取得するための手段と、（ｂ）新しいと解釈される行動パターンを記憶するよう構成された行動パターンおよび活動パターンを記憶するための第２手段と、を少なくとも備え、上記装置は、（ｃ）上記第１手段および上記第２手段の結果が比較されて、（ｉ）現在のパターンの比較が過去のパターンと一致する場合、第１アラート出力がユーザに対し確定して出力され、その第１アラート出力は、現在のパターンが認識されたことを知らせるよう設定される、および、（ｉｉ）作動させるための第４手段に向けての第２出力が生成され、認識された行動または活動が自発的に再生される、ことに応じて構成される出力を確定する処理および制御のための第３論理手段により特徴付けられる。
【００１３】
（応用例１、ビデオ録画）
ここまで説明した装置は、多くの応用例を持っている。第１例において、この装置は、記憶された過去の出来事に基づいて、ユーザが歴史的に見たもの、あるいは、このルーチンの同様のアクションを記録するビデオ（１）に用いることができる。この使用例において、第１取得手段（１１）は、典型的なビデオの構成要素であり、視覚化および／または記録されつつあるものを確定して出力することを可能にしていて、ある行動が繰り返されるとき、その行動は、第２手段（１２）としてのパターン格納データベースを持つ内部ビデオメモリーに記憶され、動作を記録するためにビデオに命令する必要があるかどうかを確定して出力するために、第３手段（デジタル信号処理装置（１３））で、そのときに捉えられているものと比較している。
【００１４】
この実施例は、次のように働くであろう。例えば、午後１０時のＴＶ番組をユーザが普段録画する場合、処理手段（１３）は、複数の繰り返しやルーチンを受けて、ユーザが上述の習慣を持っているということを仮定し、それ以降、上記時間が来るときに、そのルーチンを実行したいのかキャンセルしたいのかを尋ねる。そして、その目的のためにビデオ自身のＨＭＩ（１４）インターフェースを使う。同様に、ユーザがその瞬間に居ない、あるいは、ビデオ（１）と情報をやりとりしていないときには、デフォルト設定により、その装置自身は、ルーチンで計画された動作を実行する。
【００１５】
（応用例２、ＧＰＳナビゲーターにおけるルートの自動生成）
第２の考えられる使用例において、ＧＰＳ２タイプナビゲーターと組み合わせて上記装置を用いることができる。このＧＰＳ２タイプナビゲーターは、ユーザが入力する各々のルートを取得して、このルートをそれらの座標と比較する。このルートの記録は、上記目的のためにメモリーまたはデータベース（２１）に記憶される。つまり、取得に関する第1手段は、ルート履歴および対応する地理的位置座標を記録するよう構成された上記データ記憶手段（２１）と通信する。第３手段（デジタル信号処理機（２３））は、まず記録を分析して、第２パターン記憶手段、つまり、第２ルーチンデータベース（２２）にルーチンとして画定された上記記録を記憶する。一旦、ルートが画定されると、はっきりと限定された（definite）行動の場所を特定するために、現在の地理的位置と比較され、ユーザに上記パターンに対応するルートを表示する。
【００１６】
この実施例に基づく装置の代表的な機能は、次の通りである。例えば、ユーザが、普段、家から直接仕事場に行く場合、処理手段（２３）は、このルートが第２ルート記憶手段（２２）で定義されているならば、ユーザは特定の場所に行きつつあると仮定し、そして、それ以降、既定のルートを表示したいのかキャンセルしたいのかを尋ねる。その目的の為に、現実のＧＰＳ装置のＨＭＩ（２４）インターフェースを用いる。さらに、ＧＰＳ（２）装置クロックと組み合わせて、検出される実行可能なルーチンは、決まった時間の特定の場所にユーザが留まっている場合、例えば、仕事、睡眠、ジム等であり、地理的位置と組み合わせて、この地理的位置と関連する複数のサービスを提示することができる。
【００１７】
装置により実行されるルート予測は、同時に、一連のサービスおよび／または警告の提案を有効にするということを指摘することが重要である。そのため、一旦「仕事ルート」ルーチンが検出されれば、ＧＰＳ（１）装置は、トラフィックコントロールセンターに接続することができ、このルートの状態について情報を提供することができる。あるいは、気象サービスまたはルーチンを実行するためのユーザの最終決定に影響を及ぼすかもしれない他のサービスに接続することができる。
【００１８】
（その他の例）
他の種類の装置、電話の場合、我々が同じ人間に毎日電話をかけるとき、システムは、我々にまだ電話していないということを知らせる。
【００１９】
他の応用例は、家庭電化製品であり、例えば、目的を果たすためにコーヒーを熱するための時間が必要であり、毎日、午前７時２分に準備が整うために午前７時に起動するコーヒーメーカー、人が使用する数分前にスイッチを入れて作動させるバスルームのための加熱装置、そして、人が到着する直前に部屋を暖めるオフィスエアコンディショナーである。別の例は、毎晩ある時間に自身のスイッチを切るテレビセットである。
【００２０】
その他の例は、異なるコンピュータアプリケーションまたはウエブサイトのスイッチを入れることが可能なシステムである。例えば、あなたは、毎日一定の時間に特定の新聞を読み、その後メールを読むとする。このコンピュータは、そのルーチンを獲得した後、あなたのためにその仕事をする。
【００２１】
他の例は、毎日ジョギングをして、どこまで走ったかを知るために電話を使う場合である。しばらくして、この装置はルーチンを作り出し、それを忘れないように記憶装置としての機能を果たす。
【００２２】
上記装置は、黙示的なルーチンと明確なルーチンとの間を区別するということを指摘しなければならない。ユーザが、ルーチンを検討したアクションを実際に実行するとき（例１および２において、ユーザは、ビデオを録画し、および／または、特定の場所に行く）、ルーチンは明確であると考えられる。しかし、この装置は、黙示的であると考えるルーチンで類似的に行動できる。すなわち、例１および２に関するのと同様に、この装置が、ユーザの特定の行動がいつも同じ結果または行動をもたらすものであることを理解するとき（つまり、ルーチンの予測）、ルーチンは黙示的であると考えられる。それ故、ユーザが毎日午後１０時にビデオ（１）のスイッチを入れるとき、この装置は、ユーザの行動を予測して、ルーチンにより予め決められた特定のＴＶ番組が録画されるということを通報することができる。第２の例において、ＧＰＳ（２）装置は、もし午前７時であり、家に対応する地理的位置の範囲に居るならば、ルーチンが、ユーザが仕事に行かなくてはならないことを情報提供し、そのルートを表示することをユーザに通報するであろう。
【００２３】
任意に、幾つかの装置が、ワイヤレスデータ送信を用いて、異なるコンダクトを共有する。限定されない例は、次の通りである。もし留守番電話機がモーニングコールを伝えるとき、コーヒータイムコンダクトを起動するためにコーヒーマシンに連絡を取ることができる。そして、次に、人が到着するときのため、部屋を準備するために会社のエアコンに連絡を取ることができる。同様に、幾つかの装置が幾人かのユーザ間で便利なルートを共有し、その上、あるユーザのルーチンが別のユーザのルーチンと同様であるとき、この情報をさらに興味深い提案として共有することができる。
【図１】
0005611245.tif 000002
【図２】
0005611245.tif 000003